【手続補正書】
【提出日】平成21年12月24日(2009.12.24)
【手続補正１】
【補正対象書類名】特許請求の範囲
【補正対象項目名】請求項８
【補正方法】変更
【補正の内容】
【請求項８】
前記固定用及び可動用のクランプ部材の各々一端が共有する支点とは反対側のクランプ部材取付け用の基板の先端側には、前記用紙束を次工程の所定の綴じ位置に案内するローラ部材を備えることを特徴とする請求項７に記載の用紙処理装置。
【手続補正２】
【補正対象書類名】明細書
【補正対象項目名】０００６
【補正方法】変更
【補正の内容】
【０００６】
ｉ．特許文献１に見られるような用紙処理装置においては、クランプ移動機構が備えられ、用紙束を保持して綴じ処理部へ移動させる場合が多い。この場合、クランプ機構部とクランプ開閉駆動部とを本体基板上に設けてクランプ移動機構が構成されるため、クランプ機構部で整列した用紙束が保持されると、クランプ機構部及びクランプ開閉駆動部を実装した本体基板ごと、クランプ移動機構を綴じ処理部へ移動しなければならない。
【手続補正３】
【補正対象書類名】明細書
【補正対象項目名】００１４
【補正方法】変更
【補正の内容】
【００１４】
この構成によって、用紙束移動時、クランプ開閉駆動部と用紙固定移動部とを構造分離することができ、必要最低限の機構部品を実装した用紙固定移動部により用紙束を固定して綴じ工程等へ容易に移動できるようになる。
【手続補正４】
【補正対象書類名】明細書
【補正対象項目名】００２９
【補正方法】変更
【補正の内容】
【００２９】
バインダ紙揃えユニット３０は、搬送路１１の搬送面を基準にして第２の俯角θ２を有する位置に用紙保留面を設定するように配置される。ここに用紙保留面とは、パンチ孔３ａが形成された用紙３’を保留（積層）する面をいう。この例では、俯角θ１と俯角θ２との関係がθ１＜θ２に設定される。俯角θ１に関しては、０°＜θ１＜４５°に設定され、俯角θ２に関しては、０°＜θ２＜９０°に各々設定される。この設定は装置本体部１０１の幅を縮小化するため、及び、この条件下で用紙３’を直線的に搬送するためである（図２参照）。
【手続補正５】
【補正対象書類名】明細書
【補正対象項目名】００３４
【補正方法】変更
【補正の内容】
【００３４】
シャーシ４５は、図２に示すような所定形状を有しており、バインダ紙揃えユニット３０及びバインド処理部４０を支持するようになされる。例えば、図２において、シャーシ４５の左端側の上部が閉鎖され、下部が開放され、正面にはバインダカセット装着領域が設けられ、右端側及び背面側が閉鎖された筐体状を成している。
【手続補正６】
【補正対象書類名】明細書
【補正対象項目名】００３８
【補正方法】変更
【補正の内容】
【００３８】
このクランプ移動機構８０の取り付け位置を基準にして右側の部品実装領域IIIには、用紙カール押え機構３１及びパドルローラ３７が配置されている。用紙カール押え機構３１は、当該ユニット３０において、用紙進入口付近に配置され、紙進入時にバインダ紙揃えユニット３０の所定の位置（用紙保留部３２等）に用紙３’を案内し、紙進入完了時に用紙３’の後端側を押えるようになされる。バインダ紙揃えユニット３０は、用紙先端及び端部幅揃え機能を有している。この例では、当該ユニット３０に多櫂状の回転部材（以下パドルローラ３７という）が設けられ、紙進入時、用紙３’の先端を基準位置に当接すると共に、側端部を幅寄せして用紙束を揃えるようになされる。図２に示すハンドル型のクランプレバー８４０は、クランプ解除時に使用される（図２２参照）。
【手続補正７】
【補正対象書類名】明細書
【補正対象項目名】００３９
【補正方法】変更
【補正の内容】
【００３９】
上述のクランプ移動機構８０を基準にして左側の部品実装領域IIには、整列ピン駆動機構９１が配置され、用紙３’に開けられたパンチ孔３ａを利用して用紙束３”を揃え直すようになされる。上述の整列ピン駆動機構９１の下流側には、バインド処理部４０が配置され、バインダ紙揃えユニット３０によって揃えられた複数枚の用紙束３”を綴じ部品４３で綴じて冊子９０を作成するようになされる。冊子９０とは、綴じ部品４３が嵌合され綴じられた用紙束３”をいう。
【手続補正８】
【補正対象書類名】明細書
【補正対象項目名】００４０
【補正方法】変更
【補正の内容】
【００４０】
バインド処理部４０は、綴じ部品４３を装着されたバインダカセット４２及び、綴じ処理用の移動機構４１を有して構成される。移動機構４１は、バインダ紙揃えユニット３０の用紙搬送路Ｉの搬送方向と、上述した搬送路１１の搬送方向と直交する位置との間を往復移動するように動作する。バインド処理部４０は、バインダ（綴じ部品）カセット４２を有している。バインダカセット４２には、複数個の綴じ部品がセットされる。綴じ部品４３は、例えば、射出成形され、用紙束３”の厚みに応じた複数種類が準備される。
【手続補正９】
【補正対象書類名】明細書
【補正対象項目名】００４３
【補正方法】変更
【補正の内容】
【００４３】
一方、クランプ移動機構８０は、その下方先端両側にローラ部材８１７，８１８を備えており、移動機構４１は、その上方先端両側にＹ形状の開口部４４ａ，４４ｂを備えている。この例で、綴じ部品４３をバインド処理する際に、クランプ移動機構８０の用紙固定移動部８８０のみが自重落下して自己整合的に、ローラ部材８１７がＹ形状の開口部４４ａに嵌合し、ローラ部材８１８がＹ形状の開口部４４ｂに嵌合するようになされる。このように、ローラ部材８１７，８１８がＹ形状の開口部４４ａ，４４ｂに嵌合されることで、移動機構４１が一直線上に連結され、用紙束３”のセンター位置が綴じ部品４３のセンター位置に案内される構造となされている。
【手続補正１０】
【補正対象書類名】明細書
【補正対象項目名】００４７
【補正方法】変更
【補正の内容】
【００４７】
パンチ処理部２０では、図３Ｂに示すように用紙３’の一端に所定の数の綴じ用の孔が穿孔される。綴じ用のパンチ孔３ａが形成された用紙３’は、バインダ紙揃えユニット３０へ搬送される。バインダ紙揃えユニット３０では、用紙３’が予め設定された用紙枚数に到達し、図３Ｃに示す用紙束３”となると、その綴じ用のパンチ孔３ａの位置が揃えられ、バインド処理部４０と協調して綴じ部品４３をそのパンチ孔３ａへ挿入するようになされる。これにより、綴じ部品４３が挿通された、図３Ｄに示すような冊子９０を得ることができる。
【手続補正１１】
【補正対象書類名】明細書
【補正対象項目名】００５２
【補正方法】変更
【補正の内容】
【００５２】
図５に示す用紙カール押え機構３１は、図４に示したバインダ紙揃えユニット３０から取り出したもので、カールフェンス部３４ａ，３４ｂ、リヤガイド部（導入ガイド）３０４ａ，３０４ｂ（図４参照）及びカールガイド部（走行ガイド）３０５ａ，３０５ｂ等を備えている。
【手続補正１２】
【補正対象書類名】明細書
【補正対象項目名】００６５
【補正方法】変更
【補正の内容】
【００６５】
この例で、サイドジョーガー７０の下流側、すなわち、ユニット本体の用紙搬出口付近には整列ピン駆動機構９１（図７参照）が備えられ、用紙３’に開けられたパンチ孔３ａを利用して用紙束３”を揃え直すようになされる（第２のプレ整列処理）。第２の整列処理は、用紙３’の先端を揃え直す用紙先端整列処理である。用紙搬出時には、サイドジョーガー７０における幅寄せ部材が用紙束３”の両側に退避するようになされる。用紙束搬送路Ｉに余裕を持たせるためである。
【手続補正１３】
【補正対象書類名】明細書
【補正対象項目名】００７４
【補正方法】変更
【補正の内容】
【００７４】
移動ステージ７５ｂの上部左端には幅寄せ基準ガイド７２ｂが取り付けられ、移動ステージ７５ａの上部右端には幅寄せガイド７２ａが取り付けられる。紙寄せガイド７２ａ及び幅寄せ基準ガイド７２ｂは例えば、鉄板を変形コ字状に折り曲げ加工したものが使用される。幅寄せガイド７２ａ及び幅寄せ基準ガイド７２ｂは、上流側が広く、下流側が狭くなされている。これは、カール状の用紙３’を用紙保留部３２の先端に再現性良くガイドするためである。
【手続補正１４】
【補正対象書類名】明細書
【補正対象項目名】００８１
【補正方法】変更
【補正の内容】
【００８１】
本体基板９００の各々の側には、所定形状の右端フレーム９２ａ（右端側面用の躯体）及び左端フレーム９２ｂ（左端側面用の躯体）が設けられている。この例で、右端フレーム９２ａは、２つの摺動溝９３１及び９２２を有しており、左端フレーム９２ｂは、２つの摺動溝９３２及び９２４を有している。これらの摺動溝９２１〜９２４には、図１０に示す用紙固定移動部８８０が用紙搬送方向Ｉに移動自在に取り付けられる。用紙固定移動部８８０は、本体基板９００や左右端フレーム９２ａ，９２ｂに取り付けられるクランプ開閉駆動部８８１（図１０参照）から独立して下流側へ移動するようになされる。
【手続補正１５】
【補正対象書類名】明細書
【補正対象項目名】００８６
【補正方法】変更
【補正の内容】
【００８６】
ＵＤラック９５の一端には所定形状のプレート９７の一端が接合されている。プレート９７の他端には、所定形状のアーム９９ａ，９９ｂが回転軸を共通にして係合されている。アーム９９ａ，９９ｂはその中央を回転軸に軸支され、先述の回転軸を基準にしてＸ状に開いたり、真一文字に閉じたりなされる（図８，図９参照）。
【手続補正１６】
【補正対象書類名】明細書
【補正対象項目名】００８９
【補正方法】変更
【補正の内容】
【００８９】
なお、左端フレーム９２ｂの所定の位置にはＨＰ検知センサ９３が取り付けられ、整列ピン８５ａ，８５ｂのホームポジション（下端）位置を検知してピンＨＰ検知信号Ｓ９３を出力する。左端フレーム９２ｂにおいて、ＨＰ検知センサ９３の上方の所定の位置には上端検知センサ９４が取り付けられ、整列ピン８５ａ，８５ｂの上端位置を検知して上端検知信号Ｓ９４を出力するようになされる（図１９参照）。このように整列ピン駆動機構９１を構成し、モータ８９を回転すると、整列ピン８５ａ，８５ｂを上下に駆動できるようになる。
【手続補正１７】
【補正対象書類名】明細書
【補正対象項目名】００９１
【補正方法】変更
【補正の内容】
【００９１】
図８において、ホームポジション（ＨＰ）に位置する整列ピン８５ａ，８５ｂは、紙揃え動作時、用紙束搬送路Ｉの外側に退避している。ＨＰ検知センサ９３は、整列ピン８５ａ，８５ｂのホームポジション位置を検知してピンＨＰ検知信号Ｓ９３を制御部５０へ出力する。
【手続補正１８】
【補正対象書類名】明細書
【補正対象項目名】００９２
【補正方法】変更
【補正の内容】
【００９２】
図９は、整列ピン駆動機構９１におけるピン貫通時の動作例を示す斜視図である。図９において、ピン整列を行う際は、可動用のクランプ部材（アッパーアーム８０１ｂ）を開放した状態で、固定用のクランプ部材（ロアアーム８０１ａ）側から整列ピン８５ａ，８５ｂが突出する。例えば、図８に示したホームポジションＨＰにおいて、モータ８９がＯＮされ、モータが時計方向に回転すると、減速歯車９８が時計方向に回転する。減速歯車９８が時計方向に回転すると、ＵＤラック９５がアップ方向に移動する。
【手続補正１９】
【補正対象書類名】明細書
【補正対象項目名】０１０７
【補正方法】変更
【補正の内容】
【０１０７】
また、クランパ８２ａ、８２ｂは、本体基板９００に対し、用紙束３”を保持した状態で用紙束搬送路Ｉに沿って下流側に移動する構造を有している。例えば、図７に示した右端フレーム９２ａの２つの摺動溝９３１及び９２２と、左端フレーム９２ｂの２つの摺動溝９３２及び９２４とにクランプ移動機構８０の所定部位が可動自在に係合され、この４つの摺動溝９３１，９２２，９３２，９２４に沿ってクランプ移動機構８０を下流側へ移動するようになされる。これにより、クランプ移動機構８０を本体基板９００や左右端フレーム９２ａ，９２ｂ等に対して下流側へ移動できるようになる。
【手続補正２０】
【補正対象書類名】明細書
【補正対象項目名】０１２５
【補正方法】変更
【補正の内容】
【０１２５】
図１２に示すクランプ開閉駆動部８８１と分離可能な用紙固定移動部８８０には、破線に示す小判形状の等長リンク部材８１３ａ、８１３ｂが設けられる。
【手続補正２１】
【補正対象書類名】明細書
【補正対象項目名】０１３０
【補正方法】変更
【補正の内容】
【０１３０】
このような等長リンク部材８１３ａ、８１３ｂを係合した係合部材８０９ａを有するジョイントプレート８０１の先端側には、ローラ部材８１７が備えられ、図１０に示したように、ジョイントプレート８０２の先端側にも、ローラ部材８１８が備えられる。ローラ部材８１７、８１８は図２に示したバインド処理部４０の先端に設けられたＹ形状の開口部４４ａ（４４ｂ）によって案内され、用紙束３”を次工程の所定の綴じ位置にセットするようになされる。ここにジョイントプレート８０１の先端側とは、支点用の軸孔８０７ａを配置した終端側に対する位置をいう。
【手続補正２２】
【補正対象書類名】明細書
【補正対象項目名】０１３１
【補正方法】変更
【補正の内容】
【０１３１】
この例では、支点軸部材８０５は図７に示した摺動溝９２２及び摺動溝９２４に可動自在に係合される。係合部材８２９は摺動溝９２１及び摺動溝９２３に各々可動自在に係合される。クランプ移動機構８０では、ジョイントプレート８０１のローラ部材８１７と、その等長リンク部材８１３ａ、８１３ｂの係合部材８０９ａと、その支点用の軸孔８０７ａとが１直線上に配置される。また、そのジョイントプレート８０２のローラ部材８１８と、その等長リンク部材８１３ａ、８１３ｂの係合部材８０９ｂと、その支点用の軸孔８０７ｂとが１直線上に配置される。
【手続補正２３】
【補正対象書類名】明細書
【補正対象項目名】０１３２
【補正方法】変更
【補正の内容】
【０１３２】
この例で、図１０に示したジョイントプレート８０１上には、屈曲形状を有したリードプレート８０１’が設けられる。リードプレート８０１’の一端も、支点軸部材８０５を共通にしてジョイントプレート８０１と共に係合され、図７に示す摺動溝９２２，９２４に支点軸部材８０５が可動自在に係合される。また、リードプレート８０１’の中央部も、ジョイントプレート８０１と共に係合部材８２９が図７に示す摺動溝９２３，９２１に可動自在に係合される。反対側のジョイントプレート８０２及びリードプレート８０２’についても同様に構成される。
【手続補正２４】
【補正対象書類名】明細書
【補正対象項目名】０１３５
【補正方法】変更
【補正の内容】
【０１３５】
これらにより、クランプ移動機構８０及びその周辺機構を構成し、これらの部材が取り付けられた本体基板９００、右端フレーム９２ａ及び左端フレーム９２ｂがバインド処理部４０のシャーシ４５に取り付けられることで、１ブロック化した用紙揃え＆綴じ処理ユニット１１０が構成される。
【手続補正２５】
【補正対象書類名】明細書
【補正対象項目名】０１３８
【補正方法】変更
【補正の内容】
【０１３８】
用紙束移動時は、移動機構４１がバインダカセット４２から綴じ部品４３を受け取り、バインダカセット４２の下方からバインダ紙揃えユニット３０の下方へ移動すると共に、移動機構４１によって、カム４０２が下方に引き下げられ、用紙固定移動部８８０がホームポジションＨＰ’からカム４０２の退避位置に至るまで自重落下するようになされる。このとき、移動機構４１の先端に設けられたＹ形状の開口部４４ａ，４４ｂ（係合部）により、用紙固定移動部８８０の下端に設けられたローラ部材８１７，８１８が受け入れられる。
【手続補正２６】
【補正対象書類名】明細書
【補正対象項目名】０１４８
【補正方法】変更
【補正の内容】
【０１４８】
例えば、スリット部８２３には、所定ピッチのスリット形状が施され、用紙束３”が一定の厚さになる毎に用紙厚検知センサ８２２でアッパーアーム８０１ｂのエッジを検知し、アッパーアーム８０１ｂが開閉動作を行うことで、用紙厚を検知するようになる。クランパ８２ａ、８２ｂの開閉量は、用紙束厚によって変化するので、エッジ検知により用紙束３”の厚さを検出することができる。このように、用紙厚検知センサ８２２は、バインダ紙揃えユニット３０に進入し積層され（束ねられ）た用紙束３”の厚みを検知して紙厚検知信号（図示せず）を制御部５０に出力するようになされる。なお、クランプ位置は、綴じ部品４３を綴じる位置にあるため、綴じ動作時の厚さを正確に検出できるようになる。
【手続補正２７】
【補正対象書類名】明細書
【補正対象項目名】０１４９
【補正方法】変更
【補正の内容】
【０１４９】
また、用紙厚検知センサ８２２に隣接して、本体基板９００には５０枚用紙厚検知センサ（以下５０枚センサ８２４という）が配置され、アッパーアーム８０１ｂには遮光部８２５が設けられ、この５０枚センサ８２４と組み合わせて使用される。５０枚センサ８２４は、用紙３’が５０枚束ねられたときの厚みを検知して５０枚検知信号（図示せず）を制御部５０に出力するようになされる。
【手続補正２８】
【補正対象書類名】明細書
【補正対象項目名】０１５２
【補正方法】変更
【補正の内容】
【０１５２】
このとき、各々のクランパ８２ａ及び８２ｂにおいて、クランパ８２ａのアッパーアーム８０１ｂのローラ８２６にカム８７ａの突起部が押圧され、かつ、クランパ８２ｂのアッパーアーム８０１ｂのローラ８２６にカム８７ｂの突起部が押圧されることで、各々のクランパ８２ａ及び８２ｂを同期して開放するようになされる。
【手続補正２９】
【補正対象書類名】明細書
【補正対象項目名】０１５８
【補正方法】変更
【補正の内容】
【０１５８】
このカム退避動作によって、クランパ８２ａ及び８２ｂは、図示しないスプリングバネの付勢力によって、用紙束３”の厚みに応じた任意の位置で所定の姿勢をとる。例えば、各々のクランパ８２ａ及び８２ｂにおいて、クランパ８２ａのアッパーアーム８０１ｂのローラ８２６へのカム８７ａの突起部が非押圧状態となされ、かつ、クランパ８２ｂのアッパーアーム８０１ｂのローラ８２６へのカム８７ｂの突起部が非押圧状態となされることで、各々のクランパ８２ａ及び８２ｂを同期して閉鎖するようになされる。
【手続補正３０】
【補正対象書類名】明細書
【補正対象項目名】０１６０
【補正方法】変更
【補正の内容】
【０１６０】
その後、モータ８９が駆動され、図７に示した整列ピン駆動機構９１により、モータ８９の逆回転運動が降下運動に変換されて、用紙束３”のパンチ孔３ａから整列ピン８５ａ，８５ｂを引き抜くようになされる。これにより、綴じ処理前に、用紙束３”のパンチ孔３ａの位置を揃えて保持固定することができる。シャッター８３は、この間、用紙保留部３２に蓄積された用紙束３”の排紙を制限するように動作する。
【手続補正３１】
【補正対象書類名】明細書
【補正対象項目名】０１６３
【補正方法】変更
【補正の内容】
【０１６３】
この状態は、バインド処理部４０の扇形状のカム４０２が下降することで、用紙固定移動部８８０がクランプ開閉駆動部８８１に分離して自重落下することで生じる。このとき、移動機構４１の先端のＹ形状の開口部４４ａ，４４ｂにより、用紙固定移動部８８０の下端のローラ部材８１７，８１８が受け入れられる。その後、移動機構４１によって、用紙束３”に綴じ部品４３が取り付けられると、移動機構４１がバインダカセット４２の下方へ退避すると共に、用紙固定移動部８８０がホームポジションＨＰ’に戻る。
【手続補正３２】
【補正対象書類名】明細書
【補正対象項目名】０１６４
【補正方法】変更
【補正の内容】
【０１６４】
このときの用紙固定移動部８８０の上昇動力は、バインド処理部４０の移動機構４１から与えられる。例えば、移動機構４１の扇形状のカム４０２が上昇することで、ローラ部材８２７が押上られる。これにより、用紙固定移動部８８０がホームポジションＨＰ’に復帰する。その後、冊子を排出するために、ロアアーム８０１ａ及びアッパーアーム８０１ｂが可動自在となされる。
【手続補正３３】
【補正対象書類名】明細書
【補正対象項目名】０１７２
【補正方法】変更
【補正の内容】
【０１７２】
モータ駆動部１８０には、バインド処理部４０の移動機構用のモータ３０８が接続される。モータ駆動部１８０は、制御部５０からモータ制御信号Ｓ８０を入力して、モータ３０８を回転し、移動機構４１を駆動する。例えば、クランプ移動機構８０では、シャッター８３を開口すると共に、移動機構４１の扇状のカム４０２が引き下げられるので、用紙束３”を狭持した用紙固定移動部８８０を降下して次工程に移行するようになされる。その後、用紙固定移動部８８０を上昇し、用紙束３”を開放し、用紙束排出後に、シャッター８３を閉鎖するようになされる。
【手続補正３４】
【補正対象書類名】明細書
【補正対象項目名】０１７５
【補正方法】変更
【補正の内容】
【０１７５】
ＨＰ検知センサ９３は、整列ピン８５ａ，８５ｂのホームポジションＨＰを検知してピンＨＰ検知信号Ｓ９３を制御部５０に出力する。整列ピン８５ａ，８５ｂのホームポジションＨＰとは、用紙整列面から所定距離降下した位置をいう。整列ピン８５ａ，８５ｂはこの位置で待機するようになる。上端検知センサ９４は、整列ピン８５ａ，８５ｂの上端を検知して上端検知信号Ｓ９４を制御部５０に出力する。制御部５０は、用紙束整列時には、ピンＨＰ検知信号Ｓ９３及び上端検知信号Ｓ９４に基づいてモータ駆動部１８２を介してピン部材移動用のモータ８９を制御する。
【手続補正３５】
【補正対象書類名】明細書
【補正対象項目名】０１７８
【補正方法】変更
【補正の内容】
【０１７８】
ＨＰセンサ１１５は、繰り出しローラ３３の位置を検知してローラ検知信号Ｓ１５を制御部５０に出力する。繰り出しローラ３３のホームポジションとは、用紙整列面から所定距離上昇した位置をいう。繰り出しローラ３３はこの位置で待機するようになる。制御部５０は、用紙束排出時には、ローラ検知信号Ｓ１５に基づいて繰り出しローラ３３及びプレスローラ３８を制御する。
【手続補正３６】
【補正対象書類名】明細書
【補正対象項目名】０１７９
【補正方法】変更
【補正の内容】
【０１７９】
モータ駆動部１８４には、プレスローラ移動用のモータ８１４が接続される。モータ駆動部１８４は、制御部５０からモータ制御信号Ｓ８４を入力して、モータ８１４を回転し、繰り出しローラ３３を駆動する。
【手続補正３７】
【補正対象書類名】明細書
【補正対象項目名】０１８０
【補正方法】変更
【補正の内容】
【０１８０】
モータ駆動部１８５には、繰り出しローラ回転用のモータ８１５が接続される。モータ駆動部１８５は、制御部５０からモータ制御信号Ｓ８５を入力して、モータ８１５を回転し、プレスローラ３８を駆動する。用紙束排出時、上述の繰り出しローラ３３及びプレスローラ３８は、用紙束３”を表裏から加圧するようにして次工程へ送り出すようになされる。
【手続補正３８】
【補正対象書類名】明細書
【補正対象項目名】０２０６
【補正方法】変更
【補正の内容】
【０２０６】
しかも、クランプ開閉駆動部８８１を用紙固定移動部８８０に搭載して、クランプ移動機構毎に別手段で移動させ、用紙束３”を綴じ部へ搬送する方法や、用紙束３”を移動させることなく、バインド処理部４０の綴じ部品４３及び移動機構４１を所定の位置まで移動させてきてリングバインド処理を行う方法等に比べて、クランプ移動機構８０の移動エリア（デッドスペース）が少なくなり、用紙揃え＆綴じ処理ユニット１１０の構造をコンパクト、かつ、簡素化できるようになる。
【手続補正３９】
【補正対象書類名】明細書
【補正対象項目名】０２１３
【補正方法】変更
【補正の内容】
【０２１３】
この例で、図２３中、レバー角度θａをθａ＝０°とし、それをクランプレバー８４０’のホームポジションＨＰとしたとき、レバー角度θｂはθｂ＝９０°であり、図２２に示したクランプレバー８４０’を設けたカム連動部材８１９に取り付けられたカム８７ａ，８７ｂのホームポジションＰＣである。クランプ開閉駆動部８８１は、レバー角度θａ乃至レバー角度θｂの間（以下通常動作範囲という）でカム連動部材８１９を駆動する。クランプ開放ロック位置Ｐｘのレバーの角度であるレバー角度θｘは例えば、θｘ＝１１５°である。
【手続補正４０】
【補正対象書類名】明細書
【補正対象項目名】０２１４
【補正方法】変更
【補正の内容】
【０２１４】
このようなクランプレバー８４０’を設けると、クランプ開放ロック位置Ｐｘのレバーの角度θｘと、カム８７ａ，８７ｂの通常動作範囲IVにあるレバー角度θａ，θｂとを異ならせることができ、クランプレバー８４０’を解除の位置まで回転しないと、当該バインド装置のフロントカバー等が閉じられない事態になる。つまり、クランプレバー８４０’をカバー閉じ時の干渉物とすることができ、このような構造を採ることで、ロック解除忘れを防止できるようになる。
【手続補正４１】
【補正対象書類名】明細書
【補正対象項目名】０２１６
【補正方法】変更
【補正の内容】
【０２１６】
この例のカム形状によれば、クランプ開放ロック位置Ｐｘがクランプ開閉用のカム８７ａ，８７ｂの通常動作範囲IVと異なる位置に設定されてなるものである。
【手続補正４２】
【補正対象書類名】明細書
【補正対象項目名】０２１８
【補正方法】変更
【補正の内容】
【０２１８】
カム８７ａは、カム連動部材８１９が係合される軸孔８２８ｅを有している。湾曲形状部位８２８ａは例えば、軸孔８２８ｅを基準とする第１の半径ｒ１に基づく円弧面及び当該円弧面から延在する直平面を含み、湾曲形状部位８２８ｃは軸孔８２８ｅを基準とする第２の半径ｒ２（ｒ２＜ｒ１）に基づく円弧面及び当該円弧面から延在する直平面を含んでいる。
【手続補正４３】
【補正対象書類名】明細書
【補正対象項目名】０２２０
【補正方法】変更
【補正の内容】
【０２２０】
この例で、上述の湾曲形状部位８２８ａ、８２８ｃ、Ｕ形状部位８２８ｂ及び８２８ｄは、スポーク部位８２８ｆにより支持されている。カム８７ａ，８７ｂは例えば樹脂成形部品又は軽合金加工品により提供される。
【手続補正４４】
【補正対象書類名】明細書
【補正対象項目名】０２２２
【補正方法】変更
【補正の内容】
【０２２２】
Ｕ形状部位８２８ｂは湾曲形状部位８２８ａに連続して設けられ、クランプ開放ロック位置Ｐｘを規定するようになされる。この例で、Ｕ形状部位８２８ｂは落とし込み機能を有しており、通常動作範囲IVから更に回転した位置（θｘ＝１１５°）で、アッパーアーム８０１ｂと係合しているローラ８２６を落とし込むようになされる。
【手続補正４５】
【補正対象書類名】明細書
【補正対象項目名】０２２３
【補正方法】変更
【補正の内容】
【０２２３】
この例で、図２３中、レバー角度θａをθａ＝０°とし、それをクランプレバー８４０’のホームポジションＨＰとしたとき、レバー角度θｂはθｂ＝９０°であり、カム８７ａ，８７ｂのホームポジションＰＣである。レバー角度θｘは、θｘ＝１１５°であり、カム８７ａ，８７ｂのホームポジションＰＣから更にクランプレバー８４０’を角度２５°＝（１５°−９０°）程度、回転させたクランプ開放ロック位置Ｐｘである。このようなＵ形状部位８２８ｂを設けることで、クランパ８２ａ，８２ｂにおける各々のアッパーアーム８０１ｂの開放状態を維持できるようになる。
【手続補正４６】
【補正対象書類名】明細書
【補正対象項目名】０２２６
【補正方法】変更
【補正の内容】
【０２２６】
この例では、図２１に示したフローチャートのステップＳＴ１６で、異常処理時において、「クランプレバーを操作してジャムを除去して下さい」等のメッセージが表示されると、ユーザは、図示しないフロントカバー等を開口して、クランプレバー８４０’を操作するようになされる。このとき、クランプレバー８４０’に取り付けられたカム連動部材８１９が回転することで、カム連動部材８１９に固定されたカム８７ａ、８７ｂが回転し、その湾曲形状部位８２８ａに連続したＵ形状部位８２８ｂにアッパーアーム８０１ｂのローラ８２６が落とし込まれる。この状態で、ユーザは、ジャム除去作業を実施する。
【手続補正４７】
【補正対象書類名】明細書
【補正対象項目名】０２２７
【補正方法】変更
【補正の内容】
【０２２７】
このように、図２４に示したクランプ開放ロック位置のレバー角度θｘと、カム８７ａ，８７ｂの通常動作範囲IVにあるレバー角度θａ，θｂとを異ならせることができる。ジャム除去作業を終了した後、ユーザは、クランプレバー８４０’をクランプ開放ロック位置ＰｘからホームポジションＨＰ位置まで回転を戻すようになされる。これは、クランプレバー８４０’をホームポジションＨＰに戻さないと、当該バインド装置のフロントカバーが閉じられない事態になるためである。
【手続補正４８】
【補正対象書類名】明細書
【補正対象項目名】０２２９
【補正方法】変更
【補正の内容】
【０２２９】
従って、アッパーアーム８０１ｂを開放した状態で、クランプ移動機構８０をロックできるようになる。これにより、アッパーアーム８０１ｂを開放したままジャム除去作業が行えるため、異常処理時の操作性が良くなる。しかも、クランプ開放ロック位置Ｐｘが通常動作範囲IVと異なる位置に設定されているため、クランプレバー８４０’をカバー閉じ時の干渉物とすることができる。このようなクランプ操作構造を採ることで、ロック解除忘れを防止できるようになる。しかも、カム８７ａ，８７ｂのポジションセンサを利用して、ロック位置の検出を実行し、操作レバーの解除忘れをユーザに促す方法に比べて制御部５０の負担を軽減できるようになる。
【手続補正４９】
【補正対象書類名】図面
【補正対象項目名】図２
【補正方法】変更
【補正の内容】
【図２】
2008162741.tif 000001
【手続補正５０】
【補正対象書類名】図面
【補正対象項目名】図２３
【補正方法】変更
【補正の内容】
【図２３】
2008162741.tif 000002
【手続補正５１】
【補正対象書類名】図面
【補正対象項目名】図２４
【補正方法】変更
【補正の内容】
【図２４】
2008162741.tif 000003